(57)【要約】      （修正有）【課題】座部を脚部へ取り付ける際に、座部を台の真正面に置いた場合でもスムーズに嵌着される遊技場用椅子を提供する。【解決手段】遊技場の椅子は、昇降する脚部３に座部を前後へスライド可能に支持し、離席時は座部が正面を向き、最高位に自動復帰し、台の交換時は座部を脚部３から取り外し可能にしている。この発明は、座部を取り付けた座支持体のスライダ７に脚部３の上端と嵌着する嵌着穴を設け、その下側の前方側が穴径の大きな楕円状として傾斜した段部７ｋを形成している。また、前方中央部には該突起９が係合する縦溝７ｂと、該突起９が係合したときに突起９の下側となる位置に水平方向のスリット７ｄを設けている。そして、該スリット７ｄにバネ１２で挿嵌される係止材１１を設け、該係止材１１は該突起９との当接部を下方へ尖った山形とした。【選択図】図１
0003226266.tif 000002
【実用新案登録請求の範囲】
【請求項１】
脚部上端部をテーパとし外周面に突起を設けるとともに上端に押釦を設け、座部を固設した座支持体に、該押釦を押圧するための操作レバーを設けるとともに、該脚部上端部に嵌着されるテーパ状の嵌着穴を形成したスライダを前後方向へ摺動可能に設け、かつ、該嵌着穴の前方中央部に該突起が係合する縦溝を設けた遊技場用椅子において、該スライダが該脚部から抜けることを防止するため、該スライダの嵌着穴は、下側の前方側が穴径の大きな楕円状として傾斜した段部を形成し、該突起が該縦溝に係合したときに突起の下側となる位置に水平方向のスリットを設けるとともに、該スリットにバネで挿嵌される係止材を設け、該係止材は該突起との当接部を下方へ尖った山形としたことを特徴とする遊技場用椅子。
【考案の詳細な説明】
【技術分野】
【０００１】
本考案は床に立設した脚部の上端に座部を脱着可能に連結した遊技場用椅子に関するものである。
【背景技術】
【０００２】
パチンコなど遊技場では、種々の体格の人が利用できるように、ガススプリングで昇降する脚部に座部を前後へスライド可能に支持し、離席したときは座部が正面を向くように回動し、上昇して最も高い位置に自動復帰し、後ろ側を通路として確保するようにしている（例えば、特許文献１参照）。
また、台を交換するときは、スペースを確保するため背もたれ付きの座部を脚から取り外す必要があり、出願人は、先に、座部を脚部から簡便に脱着できる椅子を開発している（特許文献２参照）。
【０００３】
特許文献２の遊技場用椅子は、図３〜図５に示すように、背もたれ２が固設された座部１が座支持体５に固設され、これに前後方向に摺動可能にスライダ７が取付けられ、床に立設された脚部３の上端に嵌着されている。
脚部３上端部には、ガススプリング３ａが設けられており、押釦４をレバー操作することによって、脚部３上端が上下に伸縮するように構成されている。なお、脚部３の上端側はテーパ３ｆに形成されており、その外周面に突起９が設けられている。
スライダ７は、脚部３上端にテーパで嵌着され、該嵌着穴７ａの前方中央部に該突起９が係合する縦溝７ｂが設けられている。このように、構成されているので、座部１が脚部３から外れることはないのであるが、座部１を乱暴に昇降操作させた場合には外れる虞がないとは言えない。そこで、座部１が上方へ外れないように抜け止め手段が設けられている。
【先行技術文献】
【特許文献】
【０００４】
【特許文献１】登録実用新案第３０４６７７１号公報
【特許文献２】登録実用新案第３１６６４５４号公報
【考案の概要】
【考案が解決しようとする課題】
【０００５】
特許文献２の遊技場用椅子における座部１の脚部３からの抜け止め手段は、該突起９が縦溝７ｂに係合したときに突起９の下側となる位置に水平方向のスリット７ｄを設け、該スリット７ｄにバネ１２の付勢によって挿嵌する係止材１１を設けている。
【０００６】
このように構成されているので、この椅子の座部１を脚部３から外す場合は、バネ１２の一端をバネ受け１４から外し、係止材１１を回動させてスリット７ｄから抜いて、座部１を持ち上げればよい。
一方、座部１を脚部３へ取り付ける場合は、座部１を持って、スライダ７が２０〜５０度左右いずれかへ回動させた状態にして、脚部３に嵌着穴７ａを係合させつつ下ろして、突起９がスライダ７の平坦部７ｃに当接したら、スライダ７の縦溝７ｂが前方を向くように回動させる。
【０００７】
このように操作することにより、係止材１１は、突起９に当接し、バネ受け１３を中心として回動しながら押しのけられ、縦溝７ｂが前方に来ると、突起９がこれに係合してスライダ７が下降し、脚部３に嵌着する。そして、この状態では、係止材１１が突起９に係合しなくなるので、バネ１２で付勢されてスリット７ｄへ押込まれる。
スリット７ｄに挿通した係止材１１の先端は、突起９の根元付近まで達しているので、座部１が持ち上がってスライダ７が昇降ロッド３ｃから離れようとしても、外れない。
【０００８】
ところで、座部１を脚部３へ取り付ける場合に、座を２０〜５０度傾けることを忘れ、パチンコ台の正面に向けて設置すると、脚部３の突起９が係止材１１上に乗り上げた状態となり、脚部３が嵌着穴に嵌着していない状態となる。
そして、この状態で人が椅子に座ると突起９が、係止材１１に食い込んで変形し、場合によっては、係止材１１が回動不能になってしまうことがある。
【０００９】
そこで、本考案は、座部を脚部へ取り付ける際に、座部を台の真正面に置いた場合でも係止材を傷めることなくスムーズに脚部がスライダの嵌着穴に嵌合される座部の抜け止め装置を備えた遊技場用椅子を提供することを目的としている。
【課題を解決するための手段】
【００１０】
上記の目的を解決するため、本考案の遊技場用椅子は次のように構成した。すなわち、脚部上端部をテーパとし外周面に突起を設けるとともに上端に押釦を設け、座部を固設した座支持体に、該押釦を押圧するための操作レバーを設けるとともに、該脚部上端部に嵌着されるテーパ状の嵌着穴を形成したスライダを前後方向へ摺動可能に設け、かつ、該嵌着穴の前方中央部に該突起が係合する縦溝を設けた遊技場用椅子において、該スライダが該脚部から抜けることを防止するため、該スライダの嵌着穴は、下側の前方側が穴径の大きな楕円状として傾斜した段部を形成し、該突起が該縦溝に係合したときに突起の下側となる位置に水平方向のスリットを設けるとともに、該スリットにバネで挿嵌される係止材を設け、該係止材は該突起との当接部を下方へ尖った山形としたことを特徴としている。  
【００１１】
スライダの嵌着穴は、下側の前方側が穴径の大きな楕円状として傾斜した段部を形成し、座部を脚部へ嵌着する場合に所定の位置へ降下するように案内する。そして、座部が脚部から抜けないように、スリットに挿嵌する係止材は、下方へ尖った山形状とする。
山形の傾斜角度は、特に限定しない。嵌着穴を脚部に嵌着するときに係止材が突起と当接するが、山形の傾斜面を下降することにより、係止材が左右いずれかへ回動し座部１を自動的に下降せしめるものであればよい。
【考案の効果】
【００１２】
本考案の遊技場用椅子は、座部が脚部から抜けることを防止するため、スライダの嵌着穴は、下側の前方側が穴径の大きな楕円状として傾斜した段部を形成し、脚部の突起がスライダの縦溝に係合したときに突起の下側となる位置に水平方向のスリットを設けるとともに、該スリットにバネで挿嵌される係止材を設け、該係止材は該突起との当接部を下方へ尖った山形としたので、座部をパチンコ台正面に向けて脚部に載せ該突起に係止材が載っても、係止材が左右いずれかへ逃げて段部へ案内され、脚部に座部がスムーズに嵌着するので、係止材が損傷することはない。
【図面の簡単な説明】
【００１３】
【図１】本考案の遊技場用椅子の実施の形態を示すもので、（ａ）は、スライダ７を脚部３に組付けたときの状態を示す側面図で、（ｂ）は、下から見た図である。
【図２】同、（ａ）は図１（ａ）のＡ−Ａ断面図、（ｂ）は下から見た図である。
【図３】同、スライダ７を下から見た斜視図である。
【図４】遊技場用椅子の全体を示す側面図である。
【図５】図４の椅子の分解斜視図である。
【図６】図４のＢ−Ｂ視図である。
【図７】脚部３にスライダ７を取付けるときの状態を示す図である。
【考案を実施するための形態】
【００１４】
本考案の遊技場用椅子の実施の形態を図面に基づいて説明する。
この遊技場用椅子は、座部が脚部の上端部から抜けることを防止する手段以外の構成については、従来のもの（特許文献２）と同じである。
すなわち、図４〜図６に示すように、背もたれ２が固設された座部１が、座支持体５に固設され、床に立設された脚部３の先端部に脱着可能に取り付けられている。
【００１５】
脚部３上端部には、ガススプリング３ａが設けられており、押釦４をレバー操作することによって、昇降ロッド３ｃが上下に伸縮するように構成されている。なお、昇降ロッド３ｃの上端側はテーパ３ｆに形成されており、その外周面に突起９が設けられている。
座支持体５には、前後方向に摺動可能なスライダ７が取付けられており、案内材５ｂが平行に固設され、中央部には押材６ａが固設された操作レバー６が設けられている。
【００１６】
スライダ７は、中央部に脚部３の上端が嵌着するテーパー状の嵌着穴７ａが形成され、上部両側には、座支持体５の案内材５ｂと係合する摺動部７ｆが形成されている。また、前方中央部には従来と同様に脚部３の突起９が係合する縦溝７ｂが垂直に形成されている。そして、中央部左右に 貫通穴７ｅが形成されており、ここに、スライダ７を前方に移動させるコイルバネ８が挿通されている。
【００１７】
本考案の座部の抜け止め手段は、図１〜図３に示すように、スライダ７の嵌着穴７ａの下端部は、前方側の穴径を大きくし楕円状の傾斜した段部７ｋを形成し、段部７ｋの近傍下方には、水平方向のスリット７ｄが形成されている。
【００１８】
また、スライダ７の嵌着穴７ａの下部側は、従来と同じく、ある程度の肉厚を持ったボス部７ｈが形成されており、嵌着穴７ａの下端より若干上に平坦部７ｇが形成され、棒状のバネ受け１３，１４が立設されている。
バネ受け１３には係止材１１が回動可能に取付けられ、回動させることにより一端が前記スリット７ｄに挿通されるように配設されている。そして、バネ受け１３にバネ１２が巻回され、一端は係止材１１に、他端をバネ受け１４に係止させている。このバネ１２によって、係止材１１がスリット７ｄへ挿嵌させるように付勢されている。
そして、係止材１１は、下方へ傾斜した山形の当接部１１ａを備えている。
【００１９】
次に、上記のように構成された遊技場用椅子の座部１を脚部３から脱着する作業について説明する。
この椅子の座部１を脚部３から外す場合は、従来と同じく、バネ１２の一端をバネ受け１４から外し、係止材１１を回動させてスリット７ｄから抜いて、座部１を持ち上げればよい。
また、座部１を脚部３へ取り付ける場合は、座１を持って、座部１が正面（台の方向）を向いた状態にして、脚部３に嵌着穴７ａを係合させつつ下ろすだけでよい。この場合、スライダ７の係止材１１が、図１（ａ）に示すように、突起９に当接するが、当接部１１ａは山形に傾斜しているので、係止材１１が突起９によって押され、例えば、図２（ｂ）の矢印Ｃに示すように回動する。そして、座部１は回動することなく下降し、傾斜した段部７ｋに当接案内され、所定の位置に嵌着する。このとき、係止材１１は突起９に係合しなくなるので、バネ１２で付勢されてスリット７ｄへ押込まれる。
【符号の説明】
【００２０】
１  座部
１ａ  取付座
２  背もたれ
３  脚部
３ａ  ガススプリング
３ｃ  昇降ロッド
３ｆ  テーパー部
４  押釦
５  座支持体
５ａ  矩形枠
５ｂ  案内材
６  操作レバー
６ａ  押材
７  スライダ
７ａ  嵌着穴
７ｂ  縦溝
７ｃ  段部
７ｄ  スリット
７ｅ  貫通穴
７ｆ  摺動部
７ｇ  平坦部
７ｈ  ボス部
７ｋ  段部
８  コイルバネ
９  突起
１１  係止材
１１ａ  当接部
１２  バネ
１３  バネ受
１４  バネ受
【図１】
0003226266.tif 000003
【図２】
0003226266.tif 000004
【図３】
0003226266.tif 000005
【図４】
0003226266.tif 000006
【図５】
0003226266.tif 000007
【図６】
0003226266.tif 000008
【図７】
0003226266.tif 000009